(57)【要約】【課題】  昼間と夜間のいずれにおいても優れた見栄えを呈することのできる装飾部品を提供する。【解決手段】  装飾部品は、透明な外表面層と、外表面層の内側の面に密着するように設けられる加飾層と、加飾層の内側に配置されるスモーク層と、スモーク層の内側に配置される光源と、を備え、加飾層とスモーク層とは離隔している。このような構成によれば、加飾層とスモーク層を貼り合わせたり、両者の形状を合わせたりといった手間が省かれる。また、加飾層とスモーク層の間によじれや剥離が発生したり、両者の間に気泡や異物が残存したりするといった問題が生じない。【選択図】  図３
2018079705.tif 000002
【特許請求の範囲】
【請求項１】
装飾部品であって、
透明な外表面層と、
前記外表面層の内側の面に密着するように設けられる加飾層と、
前記加飾層の内側に配置されるスモーク層と、
前記スモーク層の内側に配置される光源と、を備え、
前記加飾層と前記スモーク層とは離隔している、装飾部品。
【請求項２】
前記外表面層の前記裏側の面は凹部を有する、請求項１に記載の装飾部品。
【請求項３】
前記光源を収容するケースを更に有し、
前記ケースには第１のリテーナが設けられ、
前記加飾層には第２のリテーナが設けられ、
前記スモーク層は、前記第１のリテーナおよび前記第２のリテーナの間に挟持されて保持される、請求項１または請求項２に記載の装飾部品。
【請求項４】
前記外表面層の一般肉厚の内側の面に前記スモーク層が追従する、請求項１〜３のいずれか一項に記載の装飾部品。
【請求項５】
前記第１のリテーナは前記ケースの底面から突出し、
前記光源は前記第１のリテーナおよび前記ケースの側面の間に配置されるＬＥＤを有し、
前記第２のリテーナは、前記第１のリテーナの前記ＬＥＤとは反対の側に配置される、請求項１〜４のいずれか一項に記載の装飾部品。
【発明の詳細な説明】
【技術分野】
【０００１】
本発明は装飾部品に関する。
【背景技術】
【０００２】
自動車等の車両に取り付けられる装飾部品の一種として、メーカーの名前やロゴマーク、車名やグレード等（以下、これらを総称して「マーク」とする）を示すエンブレムがある。エンブレムにおいて、その一部を透光性の部分とし、かつ、バックライト等による発光機能を備えることで、昼間と夜間の見え方を異ならせる構成を採用したものがある。そのように発光機能を備えるエンブレム（以下、発光エンブレムとも称する）の従来例の一つを図４、５に示す。図４は発光エンブレム１００の正面図、図５は図４のエンブレム１００を一点鎖線Ｖ−Ｖに沿って見た断面図である。図４、５に示す発光エンブレム１００は、金属光沢を有する光沢部１１２と、半透明のスモークレンズ１１３を有する。本例の発光エンブレム１００は、より具体的には、図５に示すように光沢部１１２の空隙に対してスモークレンズ１１３の突条部をはめ込み、当該突条部により、図４に示すようにマーク「ＡＢＣ」を発光エンブレム１００の正面に形作るものである。図５に示すように、スモークレンズ１１３の裏側には導光体１５０が配置され、導光体１５０とそれに対して光を照射する発光部（図示略）を収納するケース１３０がスモークレンズ１１３と一体化されている。
【０００３】
このような構成によれば、昼間には発光部を非点灯状態とすることでマークをスモークレンズ１１３の色（例えば、黒色等の暗色）に見せることができる。一方、夜間においては発光部を点灯状態とすることで導光体からの光をスモークレンズ１１３を透過させ、それによって、マークを発光させることができる。このように、昼間と夜間において発光エンブレム１００（特に、マーク）の見え方を異ならせることができる。
【０００４】
しかしながら、上記構成を採用する場合、光沢部１１２やスモークレンズ１１３の寸法精度が悪いと、発光エンブレム１００の正面において光沢部１１２とスモークレンズ１１３の突条部と間に隙間が生じ、見栄えが低下する可能性がある。さらに、マークが環状部分を有する場合には、例えば図４、５において符号（ｉ）、（ｉｉ）により示すように光沢部１１２の一部が光沢部１１２の他の部分から独立した浮島状の構造となり、この部分については別途設ける必要がある。また、浮島状の光沢部１１２のスモークレンズ１１３に対する貼り付け精度が悪いと隙間や段差が生じ、やはり見栄えの低下につながる可能性がある。また、隙間から発光エンブレム１００の内部構造が見えてしまうことで見栄えの低下につながる可能性がある。
【０００５】
他の例として、発光エンブレムではないがエンブレムの内部構造が外部から視認されることを抑えるためにエンブレムの外表面を構成する透明樹脂基材の裏面にパターン印刷層を備え、パターン印刷層に対して半透明のスモーク印刷層を積層し、スモーク印刷層の上にさらに金属光沢を呈する第２加飾層を形成した構成が特許文献１（特開２０１６−７８８１９号公報）に記載されている。特許文献１に記載の技術によれば、パターン印刷層に対して半透明のスモーク印刷層を積層しているため、エンブレムの内部構造が外部から視認されることを抑えることができる。また、エンブレムの外表面を構成する透明樹脂基材が単一の連続した層であり、その裏側にパターン印刷層、スモーク印刷層、第２加飾層が積層されるため、従来の技術における問題として上述した様な、エンブレムの正面において光沢部とスモークレンズの間に隙間が発生するといった問題や、光沢部の一部が浮島状となるといった問題がない。
【先行技術文献】
【特許文献】
【０００６】
【特許文献１】特開２０１６−７８８１９号公報
【発明の概要】
【発明が解決しようとする課題】
【０００７】
しかしながら、特許文献１に記載の技術においては、パターン印刷層、スモーク印刷層、第２加飾層が互いに直接接する態様で積層されているため、これらの間で剥離が生じた場合には、見栄えが低下する可能性があった。
【０００８】
本発明は前記問題を解決するためになされたものであって、その目的は、昼間と夜間のいずれにおいても優れた見栄えを呈することのできる装飾部品を提供することにある。
【課題を解決するための手段】
【０００９】
本発明の発明者らは前記課題を解決するために鋭意検討を重ねた結果、下記のように本発明の各局面に想到した。
すなわち、本発明の第１の局面による装飾部品は、透明な外表面層と、外表面層の内側の面に密着するように設けられる加飾層と、加飾層の内側に配置されるスモーク層と、スモーク層の内側に配置される光源と、を備え、加飾層とスモーク層とは離隔している、装飾部品である。
このような構成によれば、加飾層とスモーク層とが離隔しているため、加飾層とスモーク層を貼り合わせたり、両者の形状を合わせたりするといった手間が省かれる。また、加飾層とスモーク層の間によじれや剥離が発生したり、両者の間に気泡や異物が残存したりするといった問題が生じない。
【００１０】
また、本発明の第２の局面によれば、上記装飾部品において、外表面層の裏側の面は凹部を有する。
上記装飾部品においては外表面層の内側の面に加飾層が密着するように設けられ、加飾層とスモーク層とは離隔している。よってスモーク層は外表面層の裏側の面に設けられる凹部とも離隔しており、スモーク層が加飾層と密着して凹部との間で密閉空間を形成するということもない。仮にスモーク層が加飾層に密着することで凹部との間で密閉空間を形成すると、密閉空間の膨張収縮によりスモーク層が剥がれたり破損したりする可能性がある。本局面によればそのような密閉空間を形成しないので、密閉空間の膨張収縮による問題が生じない。
【００１１】
また、本発明の第３の局面によれば、上記装飾部品は光源を収容するケースを更に有し、ケースには第１のリテーナが設けられ、加飾層には第２のリテーナが設けられ、スモーク層は、第１のリテーナおよび第２のリテーナの間に挟持されて保持される。
このような構成により、スモーク層が加飾層から離隔する所定の距離が確定され、スモーク層は安定的に保持される。
【００１２】
また、本発明の第４の局面によれば、上記装飾部品において、外表面層の一般肉厚の内側の面にスモーク層が追従する。
このような構成によれば外表面層の表面からその透明部分を通して視認されるスモーク層までの距離が均一になるため、見栄えが良い。
【００１３】
また、本発明の第５の局面によれば、上記装飾部品において、第１のリテーナはケースの底面から突出し、光源は第１のリテーナおよびケースの側面の間に配置されるＬＥＤを有し、第２のリテーナは、第１のリテーナのＬＥＤとは反対の側に配置される。
このような構成によれば、第１のリテーナはＬＥＤから見て装飾部品の内部側に配置されるため、外表面層の透明な部分を通して、装飾部品の外部からＬＥＤが直接視認されることを第１のリテーナにより抑制できる。また、第２のリテーナは、第１のリテーナよりもさらに装飾部品の内部側に配置されるため、装飾部品の外部からＬＥＤが直接視認されることをより確実に抑制できるとともに、ＬＥＤから発せられた光であってスモーク層を通らない光が外表面層の透明な部分を通って外部へ抜け出ることを抑制できる。
【図面の簡単な説明】
【００１４】
【図１】図１は、本発明の一実施形態による発光エンブレムを示す正面図である。
【図２】図２（Ａ）は図１の発光エンブレムを一点鎖線ＩＩＡ−ＩＩＡに沿って示す断面図であり、図２（Ｂ）は図２（Ａ）のオーナメントを取り出して示す断面図である。
【図３】図３は、図２（Ａ）において一点鎖線ＩＩＩで囲んだ発光エンブレムの要部を示す拡大断面図である。
【図４】図４は、従来例による発光エンブレムを示す正面図である。
【図５】図５は、図４の発光エンブレムを一点鎖線Ｖ−Ｖに沿って示す断面図である。
【発明を実施するための形態】
【００１５】
以下、本発明の一実施形態に係る装飾部品としての発光エンブレム１につき、添付図を参照しながら説明する。図１は一実施形態に係る発光エンブレム１の正面図である。本例の発光エンブレム１は自動車等の車両に取り付けられ、メーカーの名前やロゴマーク、車名やグレード等（以下、これらを総称して「マーク」とする）を示すものである。図１に例示する本実施形態に係る発光エンブレム１は正面側の外表面層を形成するオーナメント１０を有する。本例のオーナメント１０の全体的な形状は板状（図例では特に円盤状）である。図２（Ａ）は図１の発光エンブレム１を一点鎖線ＩＩＡ−ＩＩＡに沿って見た断面図である。図２（Ａ）に示すようにオーナメント１０の裏側には樹脂成形部２０を介してケース３０が取り付けられており、オーナメント１０とケース３０が形成する空間の内部には、スモークレンズ４０、インナーレンズ５０、ＬＥＤ６０が配置されている。オーナメント１０はポリカーボネート樹脂（ＰＣ）、アクリル樹脂（ＰＭＭＡ）等の透明な樹脂からなる。スモークレンズ４０はアクリル樹脂（ＰＭＭＡ）やポリカーボネート樹脂（ＰＣ）等の樹脂に黒色等の暗色の着色を行ったものであり、約２０％〜約５０％の光透過率を有する。インナーレンズ５０はアクリル樹脂（ＰＭＭＡ）、ポリカーボネート樹脂（ＰＣ）等の透明な樹脂からなる。
【００１６】
図２（Ｂ）は図２（Ａ）のオーナメント１０のみを取り出して示す断面図である。オーナメント１０のうち、発光エンブレム１の内側となる面、すなわち、図２（Ｂ）における右側の面は一部が凹む形状に形成されることで凹凸が形成されており、かつ、当該面の所定の領域上にはめっき加工や印刷により加飾層が形成され、その他の領域は透明のままとされている。
より具体的に図２（Ｂ）に示す例においては、その右側の面のうち図中の矢印で示す範囲アに相当する平面状の範囲には不透明な塗装が施されることで塗装部１１が形成されている。塗装はスクリーン印刷等の適した任意の方法により行い得る。図２（Ｂ）に示すオーナメント１０の右側の面のうち図中の矢印で示す範囲イに相当する凹状の範囲にはめっき加工が施され金属光沢を呈する光沢部１２が形成されている。めっき加工はスパッタリング法、蒸着法等の適した任意の方法を採用し得る。めっき加工に代えて、金属光沢を呈する塗料を塗布することとしても良い。図２（Ｂ）に示すオーナメント１０の右側の面のうち図中の矢印で示す範囲ウに相当する凸状部分の先端面の範囲については加飾が施されず透明なままの透明部１３とされている。
【００１７】
図２（Ａ）に示すように、樹脂成形部２０は塗装部１１の面上に形成される樹脂成形部材である。ケース３０は底面部３１とその周縁から立設される壁部３２からなり、壁部３２の先端面が樹脂成形部２０に対して溶着されている。溶着は熱盤溶着や振動溶着、レーザ溶着等の適した任意の方法でなされ得る。また、溶着に代えて、ケース３０の壁部３２を樹脂成形部２０に接着してもよい。オーナメント１０とケース３０が形成する空間の内部には、オーナメント１０に近い側からスモークレンズ４０とインナーレンズ５０が重ね合わされ配置される。ケース３０はＡＥＳ樹脂、ＡＳＡ樹脂等の耐光性に優れる樹脂からなり、樹脂そのものが黒色等の暗色を有するか、あるいはケース３０の内部が黒色等の暗色に着色されている。
【００１８】
図３は、図２（Ａ）において一点鎖線ＩＩＩで囲んだ発光エンブレム１の要部を示す拡大断面図である。スモークレンズ４０は、オーナメント１０の一般肉厚（図３においてｔにより示す厚さ）の内側の面（図３において破線ｂで示す面）に追従するように延在する。すなわち、オーナメント１０の一般肉厚ｔの内側の面ｂと、対向するスモークレンズ４０の面との距離はスモークレンズ４０の全域において一定である。このことは、オーナメント１０の一般肉厚ｔの内側の面ｂが曲面状の場合にも同様としてよい。なお、本明細書において、オーナメント１０の一般肉厚ｔとは、オーナメント１０のうち凹部を形成しない部分の板厚を指し、図３の例においては塗装部１１におけるオーナメント１０の板厚に相当する。なお、図３においては、塗装部１１の塗装厚さや光沢部１２のめっき厚さを誇張して描いている。
【００１９】
図２（Ａ）および図３に示すように、ケース３０の壁部３２に近い底面部３１の部分からオーナメント１０の側へ向かって第１リテーナ３３が突出し、インナーレンズ５０のスモークレンズ４０とは反対側の面に当接する。ケース３０の内側に位置する樹脂成形部２０の部分から第２リテーナ２１がケース３０の底面部３１の側へ向かって突出し、スモークレンズ４０のインナーレンズ５０とは反対側の面に当接する。重ね合わされたスモークレンズ４０とインナーレンズ５０はこうして第１リテーナ３３および第２リテーナ２１により挟持され保持される。
図２（Ａ）に示すように、オーナメント１０の塗装部１１とスモークレンズ４０の間には樹脂成形部２０、特に第２リテーナ２１が介在しており、オーナメント１０の塗装部１１とスモークレンズ４０の間は離隔されている。当然ながら、オーナメント１０の凹部の表面に形成される光沢部１２とスモークレンズ４０の間も離隔されている。
【００２０】
図２（Ａ）および図３に示すように、ＬＥＤ６０はケース３０の壁部３２の内側の近傍に配置されており、その光軸は図３の矢印に示すようにケース３０の底面部３１からインナーレンズ５０に向かう向きとされている。図３に示すように、ＬＥＤ６０から発せられインナーレンズ５０の端部に進入した光は、インナーレンズ５０へ光が進入した側とは反対側のインナーレンズ５０の面に形成された傾斜部５１によりインナーレンズ５０の内部の方向へと反射される。インナーレンズ５０の内部を進んだ光は、インナーレンズ５０内面での反射によりインナーレンズ５０の正面から発せられ、スモークレンズ４０を通過し、オーナメント１０の透明部１３を通じて発光エンブレム１の正面の外部へ放出される。なお、インナーレンズ５０のスモークレンズ４０とは反対側の面には光の反射効果を高めるための微細な凹凸５２やシボ等の形状が形成されていてもよい。インナーレンズ５０に光散乱材が分散されていてもよい。
【００２１】
第１リテーナ３３はＬＥＤ６０が配置された箇所から見て発光エンブレム１の内部側の近傍に立設されており、かつ、図２（Ａ）の奥行き方向（すなわち、ＬＥＤ６０が配置された箇所から見て発光エンブレム１の内部側へ向かう方向と交差する方向）に一定の幅を有している。これにより、ＬＥＤ６０が発光エンブレム１の外部からオーナメント１０の透明部１３を介して直接視認されることを抑制できる。また、樹脂成形部２０の第２リテーナ２１は第１リテーナ３３よりも更に発光エンブレム１の内部側に配置されており、かつ、図２（Ａ）の奥行き方向に一定の幅を有する。これにより、ＬＥＤ６０が発光エンブレム１の外部からオーナメント１０の透明部１３を介して直接視認されることをより確実に抑制できるとともに、ＬＥＤ６０から発せられた光であってインナーレンズ５０やスモークレンズ４０を通らない光がオーナメント１０の透明部１３を通って外部へ抜け出ることを抑制できるという効果が得られる。
【００２２】
以上のような構成を有する発光エンブレム１を図１のように正面から見た場合、オーナメント１０の透明な材質を通して塗装部１１および光沢部１２が視認される。正面から見ると、光沢部１２は金属光沢を呈する隆起部分として視認される。昼間、ＬＥＤ６０を点灯しない状態においては、透明部１３の色としてはその裏側に位置するスモークレンズ４０の黒色等の暗色が視認される。よって、昼間、ＬＥＤ６０が点灯されない状態においては、透明部１３は黒色等の暗色のマークとして視認される。一方、夜間、ＬＥＤ６０が点灯された状態においては、インナーレンズ５０を介してスモークレンズ４０がその裏側から光を受け、光の一部がスモークレンズ４０を透過する。そのため、発光エンブレム１を正面から見ると、透明部１３を介して光が視認され、透明部１３が発光して見える。そのため、夜間、ＬＥＤ６０が点灯された状態においては、マークが発光して見えることとなる。
【００２３】
図１に示す発光エンブレム１は外周形状が円形状となっているが、これは単なる例示であって、本発明は何らこれに限られない。
以上、本願発明に係る装飾部品の一例として発光エンブレムを例に取って説明したが、本発明は何らこれに限定されるものではなく、本願発明の構成を装飾部品としてのガーニッシュ、スポイラー、ハイマウントストップランプが設けられる部品、バンパー等に適用してもよい。
塗装部１１と光沢部１２は、光不透過性の加飾層を形成するものであり、図１や図２（Ｂ）に示した配置は単なる一例に過ぎず、それらの配置方法は本発明の範囲内において、発光エンブレム１のデザインに応じて任意に設定可能である。例えば、図２（Ｂ）の範囲アを塗装部１１とし範囲イを光沢部１２とすることは必須ではなく、それらの一部または全部を入れ替えてもよく、範囲ア、イの両方を塗装部としてもよく、あるいは光沢部としてもよい。また、オーナメント１０に凹部を形成しなくてもよい。
本明細書の中で明示した公開特許公報の内容は、その全ての内容を援用によって引用することとする。
【符号の説明】
【００２４】
１…発光エンブレム（装飾部品）
１０…オーナメント（外表面層）
１１…塗装部（加飾層）
１２…光沢部（加飾層）
１３…透明部
２０…樹脂成形部
２１…第２リテーナ（第２のリテーナ）
３０…ケース
３１…底面部
３２…壁部
３３…第１リテーナ（第１のリテーナ）
４０…スモークレンズ（スモーク層）
５０…インナーレンズ（光源）
５１…傾斜部
５２…凹凸
６０…ＬＥＤ（光源）
【図１】
2018079705.tif 000003
【図２】
2018079705.tif 000004
【図３】
2018079705.tif 000005
【図４】
2018079705.tif 000006
【図５】
2018079705.tif 000007